(57)【特許請求の範囲】
【請求項１】
中空糸膜の末端部が開口状態を保ったまま、筒状ケースの一端に固定されてなる中空糸膜モジュールを有する浄水器であって、該中空糸膜モジュールの中空糸膜充填率が２０〜６０％であり、該筒状ケースに該中空糸膜の外表面を洗浄するための洗浄液供給口及び洗浄液排出口を設けられ、該洗浄液供給口から、該筒状ケースを満たす量の薬液が供給され、該洗浄液排出口が、該筒状ケースの中空糸膜固定部近傍の側面に設けられて、該洗浄液排出口に、洗浄用開閉バルブが設けられ、前記中空糸膜モジュールを複数並列に設け、一つの中空糸膜モジュールの洗浄時に他の中空糸膜モジュールの濾過を可能とした浄水器。
【請求項２】
前記洗浄液供給口が、薬液タンクと連通され、薬液を送液するポンプが、該洗浄液供給口と該薬液タンクとの間に設けられ、又は薬液タンクの液面が、該中空糸膜モジュールよりも高いところに配置されている請求項１に記載の浄水器。
【請求項３】
前記中空糸膜モジュールの上流に、プレフィルターを配した請求項１又は２に記載の浄水器。
【請求項４】
前記中空糸膜モジュールの上流に、吸着材層を配した請求項１〜３いずれかに記載の浄水器。
【請求項５】
前記洗浄液供給口が前記中空糸膜モジュールの原水供給口である請求項１〜４いずれかに記載の浄水器。
【請求項６】
濾過水量、濾過流速、濾過圧力の少なくとも一つを計測する手段を有する請求項１〜５いずれかに記載の浄水器。
【請求項７】
中空糸膜の末端部が開口状態を保ったまま、筒状ケースの一端に固定されてなり、該中空糸膜の充填率が２０〜６０％である中空糸膜モジュールを有し、前記中空糸膜モジュールを複数並列に設け、一つの中空糸膜モジュールの洗浄時に他の中空糸膜モジュールの濾過を可能とした浄水器を洗浄するに際し、該筒状ケースに該中空糸膜の外表面を洗浄するため薬液を、該筒状ケースを満たす量供給し、所定時間保持した後、薬液を排出する浄水器の洗浄方法。
【請求項８】
薬液を排出した後に、さらに洗浄液供給口から原水を供給し、中空糸膜面に水流を当てた後、洗浄液排出口から排出する請求項７に記載の浄水器の洗浄方法。
【請求項９】
前記薬液が塩酸、クエン酸、酢酸、家庭用洗剤、さらし粉のいずれかを含む水溶液である請求項８記載の浄水器の洗浄方法。
【請求項１０】
洗浄液供給口に原水を供給し、中空糸膜面に水流を当て、洗浄液排出口から排出しながら中空糸膜の洗浄を行うと同時に濾過を行い、洗浄開始時からの濾過水量、濾過流速、濾過圧力の少なくとも一つを計測し、濾過水量又は濾過流速が予め設定した値に達した時に洗浄を停止する請求項９に記載の洗浄方法。
【請求項１１】
積算濾過時間、積算濾過流量、濾過流速、濾加圧力の少なくとも一つを計測し、そのいずれかが予め設定した値に到達した際に自動的に洗浄を行う請求項７〜１０に記載の浄水器の洗浄方法。
【発明の詳細な説明】
【技術分野】
【０００１】
本発明は、水道水等を浄化する浄水器に関する。   
【背景技術】
【０００２】
従来より、水資源の汚染、おいしい水への要求等により水道水の浄化に浄水器が用いられている。かかる浄水器として、活性炭等の吸着材による水道水のカルキ臭、カビ臭、トリハロメタン等の除去、多孔質中空糸膜による細菌類、濁質成分等の除去を機能として有するものが知られている。   
【０００３】
このような浄水器の一例としては、図３に示すような蛇口直結型の浄水器１が挙げられる。この浄水器１は、蛇口２にアダプタ３および固定リング４を用いて取り付けられており、切換レバー５の操作により、浄水器１の内部に組み込まれた切換機構部によって原水と浄水とを切り換えることが可能とされている。浄水器１のカートリッジカバー７内には、浄水カートリッジが収納されている。この浄水器１においては、切換レバー５を浄水側に切り換えて、原水を蛇口２から流入させると、原水は切換機構部により浄水カートリッジに導かれ、その内部の濾過材を通過して浄水となった後、浄水出口９から下方に流出する。  
【０００４】
図４は、浄水器１に用いられる浄水カートリッジの一例を示す断面図である。この浄水カートリッジ６は、後方端面に焼結フィルタ１１が設けられ、前方端面に浄水出口１２を有する蓋部が形成された円筒状のケース１３と、ケース１３内を焼結フィルタ１１側および浄水出口１２側に区切る仕切板１４と、ケース１３の焼結フィルタ１１側に充填された吸着材１５と、ケース１３の浄水出口１２側にポッティング材１７によって固定された複数の中空糸膜１６とを具備するものである。ここで、中空糸膜１６は、Ｕ字状に屈曲された複数の中空糸膜１６の両端部が中空糸膜１６端部の開口状態を保つようにポッティング材１７によってケース１３に固定されている。   
【０００５】
このような浄水カートリッジ６においては、原水は、焼結フィルタ１１を通って浄水カートリッジ６内に導入される。浄水カートリッジ６内に導入された原水は、吸着材１５、仕切板１４、中空糸膜１６の順に通過し、この通過中に浄化される。原水を浄化して得られた浄水は、浄水カートリッジ６の浄水出口１２から浄水カートリッジ６外部に排出される。   
【発明の概要】
【発明が解決しようとする課題】
【０００６】
この浄水カートリッジ６を備えた浄水器１で原水の浄化処理をしばらく行うと、原水の汚濁の程度や処理水量にもよるが、中空糸膜１６の表面（一次側）に細菌類、濁質成分等が付着、堆積し、中空糸膜１６が目詰まりを起こすようになる。このような状態になると、中空糸膜１６の表面を洗浄する方法でしか、中空糸膜１６の機能を回復することはできない。   
【０００７】
しかしながら、中空糸膜１６は、ポッティング材１７によってケース１３内に固定されており、中空糸膜１６の表面を洗浄することは極めて困難であった。そのため、中空糸膜１６が目詰まりを起こし、中空糸膜１６の機能が著しく低下した場合には、たとえ吸着材１５の除去能力にまだ余裕があったとしても、浄水カートリッジ６ごと新しいものに交換するしかなく、浄水器１による浄化処理のランニングコストを著しく押し上げる要因となっていた。   
【０００８】
中空糸膜の目詰まりを防止するために、特開平８−８９９４８号公報には、中空糸膜の二次側から逆通液を行い、中空糸膜表面の閉塞物を除去する方法が開示されている。しかしながら、この方法は中空糸膜の二次側から、汚れた状態の原水をそのまま送り込むため、かえって中空糸膜の内面を汚染する可能性があった。
また、特開平８−８４９８９号公報には、中空糸膜モジュールを複数配置し、一つの中空糸膜モジュールの濾過水を用いて別の中空糸膜モジュールの逆洗を行う方法が開示されている。しかしながらこの方法は、複数の中空糸膜モジュールが必要であるため、濾過部が大きくなるとともに部品点数が多くなるという問題点があった。   
【０００９】
本発明は、機能が低下した中空糸膜を洗浄回復させ、原水の浄化処理のランニングコストを抑えることができる浄水カートリッジおよび浄水器を提供することにある。   
【課題を解決するための手段】
【００１０】
すなわち、本発明の第一の要旨は、中空糸膜の末端部が開口状態を保ったまま、筒状ケースの一端に固定されてなる中空糸膜モジュールを有する浄水器であって、該中空糸膜モジュールの中空糸膜充填率が２０〜６０％であり、該筒状ケースに該中空糸膜の外表面を洗浄するための洗浄液供給口及び洗浄液排出口を設けられ、該洗浄液供給口から、該筒状ケースを満たす量の薬液が供給され、該洗浄液排出口が、該筒状ケースの中空糸膜固定部近傍の側面に設けられて、該洗浄液排出口に、洗浄用開閉バルブが設けられ、前記中空糸膜モジュールを複数並列に設け、一つの中空糸膜モジュールの洗浄時に他の中空糸膜モジュールの濾過を可能とした浄水器、である。
中空糸膜モジュールの中空糸膜充填率、すなわち筒状のケースの内径断面積に占める中空糸膜断面積（外径ベース）の合計の割合は、あまり高いと中空糸膜間に侵入した堆積物を洗浄により除去し難く、一方あまり低いと集積効率が低下し濾過能力が低くなることから、２０〜６０％とする必要があり、３０〜５０％とすることが好ましく、３５〜４７．５％がさらに好ましい。このとき、洗浄に使用する洗浄水の供給量は、筒状ケースの内径基準断面積あたり０．０１〜５Ｌ／ｃｍ２・分とすると、効果的に膜面の洗浄を行うことができるため好ましく、０．０３〜３．５Ｌ／ｃｍ２・分がより好ましく、０．１〜１．５Ｌ／ｃｍ２・分がさらに好ましい。
また、前記洗浄液供給口が、薬液タンクと連通され、薬液を送液するポンプが、該洗浄液供給口と該薬液タンクとの間に設けられ、又は薬液タンクの液面が、該中空糸膜モジュールよりも高いところに配置されている浄水器、である。
また、前記中空糸膜モジュールを複数並列に設け、一つの中空糸膜モジュールの洗浄時に他の中空糸膜モジュールの濾過を可能とすると、洗浄中も濾過を行うことができるとともに、中空糸膜モジュールが一つの時と比較して濾過寿命をより長くすることができるため好ましい。
また、前記中空糸膜モジュールの上流に、プレフィルターを配置すると、中空糸膜の寿命をより長くすることができるため好ましい。また、前記中空糸膜モジュールの上流に、吸着材層を配すると、さらに多様な水浄化が可能となるため好ましい。
さらに、前記洗浄液供給口を前記中空糸膜モジュールの原水供給口とすると、簡便な構成となりより好ましい。
また、濾過水量、濾過流速、濾過圧力の少なくとも一つを計測する手段を有すると、洗浄を行いながら濾過を行い、濾過性回復の指標とすることができるため好ましい。
【００１１】
また、本発明の第二の要旨は、中空糸膜の末端部が開口状態を保ったまま、筒状ケースの一端に固定されてなり、該中空糸膜の充填率が２０〜６０％である中空糸膜モジュールを有し、前記中空糸膜モジュールを複数並列に設け、一つの中空糸膜モジュールの洗浄時に他の中空糸膜モジュールの濾過を可能とした浄水器を洗浄するに際し、該筒状ケースに該中空糸膜の外表面を洗浄するため薬液を、該筒状ケースを満たす量供給し、所定時間保持した後、薬液を排出する浄水器の洗浄方法、である。
また、薬液を排出した後に、さらに洗浄液供給口から原水を供給し、中空糸膜面に水流を当てた後、洗浄液排出口から排出する前述の浄水器の洗浄方法、である。
この際、前記薬液が塩酸、クエン酸、酢酸、家庭用洗剤、さらし粉のいずれかを含む水溶液であると、効果的に洗浄ができるとともに入手が容易である。
また、本発明の第三の要旨は、洗浄水供給口に原水を供給し、中空糸膜面に水流を当て、洗浄液排出口から排出しながら中空糸膜の洗浄を行うと同時に濾過を行い、洗浄開始時からの濾過水量、濾過流速、濾過圧力の少なくとも一つを計測し、濾過水量又は濾過流速が所定の量に達した時に洗浄を停止する浄水器の洗浄方法、である。
また、積算濾過時間、積算濾過流量、濾過流速、濾加圧力の少なくとも一つを計測し、そのいずれかが、予め設定した値に到達した際に自動的に洗浄を行うとより好ましい。
【発明の効果】
【００１２】
以上説明したように、本発明の浄水器は、筒状ケースに、中空糸膜の外表面を洗浄するための洗浄液供給口及び洗浄液排出口を設けたことにより、洗浄液供給口から原水又は薬液を供給し、洗浄液排出口から洗浄液を排出できるので、閉塞した中空糸膜の再生が可能となり、浄水カートリッジを長期間使用することが可能となるので、浄水処理のランニングコストを抑えることができる。  
【発明を実施するための形態】
【００１３】
以下、本発明を詳しく説明する。
図１は、本発明の浄水器に使用する中空糸膜モジュールの一例を示す断面図である。尚、図中の記号ＦＩは流量計、ＰＩは圧力計を示す。
この中空糸膜モジュール１０は、Ｕ字状に屈曲された複数の中空糸膜１６の両端部が中空糸膜１６端部の開口状態を保つようにポッティング材１７によって集束された状態で、筒状の中空糸膜用ケース２２に固定され、濾過水出口には浄水出口１２が形成されたモジュールキャップ２３が配されて概略構成されるものである。
ここで、中空糸膜用ケース２２は、図１では中空糸膜用ケースの長さを短くして茶筅のような形状にしているが、中空糸膜の長さよりも長くても良く、又側面に通水用の穴が開いたケースにしても良い。この時、図示したように保護ネット１８を付けて取扱性を向上させているが、保護ネット１８が無い状態でもよい。
中空糸膜モジュール１０は、モジュールキャップ２３に弾性体１９を介して取付けられているが、最初から中空糸膜１６をモジュールキャップ２３に一体化する形でポッティング材１７にて固定してもよい。   
【００１４】
ここで、筒状ケース３１に洗浄液供給口及び洗浄液排出口を設け、洗浄液供給口から供給した洗浄液を中空糸膜外表面にあてた後、洗浄液排出口から排出することにより、中空糸膜面に堆積した細菌類、濁質成分等の閉塞物を中空糸膜面から引き剥がし、モジュール外に排出できるため、中空糸膜の濾過機能を回復させることができる。   
【００１５】
この際、洗浄液排出口３４を、図１に示すように、筒状ケース３１の中空糸膜固定部近傍の側面に設けると、洗浄液を中空糸膜全体に当てることができるとともに、中空糸膜の最も閉塞し易い根元部分で洗浄液の水流方向が変わり、その結果根元部分を効果的に洗浄することができるため、好ましい。
洗浄液排出口３４の数は、１つあれば洗浄が可能であるが、２つ以上設けても良い。   
【００１６】
また、洗浄液供給口は、洗浄液排出口３４と同様に筒状ケース３１の側面に設けても良いが、原水供給口３５と兼用とすると、構成をより簡便にできるため好ましい。すなわち、図１に示すように、洗浄液排出口３４に洗浄用開閉バルブ３８を設けてやれば、濾過を行う際は洗浄用開閉バルブ３８を閉じ、原水供給口３５から原水を供給すると、原水は中空糸膜１６で濾過された後、浄水出口１２から流出する。   
【００１７】
また、洗浄を行う際は洗浄用開閉バルブ３８を開け、原水供給口３５を兼ねた洗浄液供給口４０から原水を供給すると、洗浄液排出口３４から排出されるため、中空糸膜１６の外表面を洗浄することができる。この際、中空糸膜１６を通して濾過が行われるために必要な圧力は、洗浄液排出口３４から水が排出されるために必要な圧力よりも高く、原水の多くは洗浄液排出口３４から排出され、濾過される水量は少ないることから、濾過水出口を塞ぐ必要はない。
この際、洗浄を行うことによって中空糸膜面に堆積した付着物が洗い流されて濾過性が回復するため、濾過水量、濾過流速、濾加圧力の少なくとも一つを計測し、中空糸膜の濾過性回復の指標として用いることも可能である。具体的には、羽車式、容積式、電磁式等の流量計、流速計、圧力計を設置して洗浄開始からの積算濾過水量、濾過流速、濾加圧力を測定し、これらの値が使用する条件に応じて予め設定した値に到達した時点で洗浄を停止するようにすればよい。
なお、これらの制御を自動的に行うためには電磁式の計測機器が好適である。   
【００１８】
なお、図１の構成とは逆に原水供給口３５を筒状ケースの側面に設けることも可能である。この場合は、原水供給ラインを分岐させて洗浄液を排出させるか、又は洗浄液排出口３４を原水供給口３５とは別に設けることにより、洗浄を行うことができる。   
【００１９】
中空糸膜１６としては、例えば、セルロース系、ポリオレフィン系（ポリエチレン、ポリプロピレン）、ポリビニルアルコール系、エチレン・ビニルアルコール共重合体、ポリエーテル系、ポリメタクリル酸メチル（ＰＭＭＡ）系、ポリスルフォン系、ポリアクリロニトリル系、ポリ弗化エチレン（テフロン（登録商標））系、ポリカーボネート系、ポリエステル系、ポリアミド系、芳香族ポリアミド系等の各種材料からなるものを好適に使用できる。中でも、膜の強伸度や耐屈曲性、洗浄性、取扱性や耐薬品性の高さ等を考慮すると、ポリエチレンやポロプロピレン等のポリオオレフィン系中空糸膜が好ましい。   
【００２０】
また、特に限定されるものではないが、中空糸の外径は２０〜２０００μｍ、孔径は０．０１〜２μｍ、空孔率は２０〜９０％、膜厚は５〜３００μｍのものが好ましい。
中空糸膜長は、糸がゆれて効果的な洗浄を出来るようにするためには、１０ｍｍ以上が好ましく、２０ｍｍ以上がより好ましい。一方あまり長いと中空糸膜の利用効率が低下するため、３００ｍｍ以下が好ましく、２００ｍｍ以下がより好ましい。   
【００２１】
ポッティング材１７としては、例えば、ウレタン樹脂、エポキシ樹脂、ポリオレフィン樹脂等からなる固定用樹脂が使用できる。筒状ケース３１の材質としては、加工性等を考慮して、金属類（ステンレス等）、プラスチック類を用いることが好ましい。   
【００２２】
また、給湯器から供給される８０℃以上の高温の湯を直接利用することができる点で、ポリプロピレン、ポリフェニレンエーテル、ポリオキシメチレン、ポリカーボネート、ＡＢＳ樹脂などの軟化点が８０℃以上の耐熱性のプラスチックを用いることがより好ましい。
筒状ケース３１は、透明もしくは半透明部材で形成することで中空糸膜１６の汚れ等、内部の状態を確認することができる。   
【００２３】
また、図２に示すように、中空糸膜モジュールを複数並列に設け、一つの中空糸膜モジュール１０｀の洗浄時に他の中空糸膜モジュール１０の濾過を可能とするように構成すると、洗浄中も濾過を行うことができるとともに、中空糸膜モジュールが一つの時と比較して濾過寿命をより長くすることができるため好ましい。   
【００２４】
図２は、中空糸膜モジュールを２個並列に設けた例である。濾過を行う際には、どちらか一方の中空糸膜モジュールのみを用いて濾過を行っても、２つの中空糸膜モジュールを同時に用いて濾過を行っても構わない。尚、図１と同様に、記号ＦＩは流量計、ＰＩは圧力計を示す。   
【００２５】
洗浄を行う際には、一方の中空糸膜モジュールの洗浄液排出口３４に設けた洗浄用開閉バルブ３８を閉鎖し、他方の中空糸膜モジュールの洗浄液排出口３４｀に設けた洗浄用開閉バルブ３８｀を開放する。そして両方の中空糸膜モジュールに原水を供給すると、一方の中空糸膜モジュールでは中空糸膜１６により濾過が行われて濾過水出口１２より濾過水が得られ、他方の中空糸膜モジュールでは洗浄液排出口３４から洗浄液が排出されて中空糸膜１６の洗浄が行われる。   
【００２６】
中空糸膜モジュールの上流側に、原水中の比較的大きな粗ゴミ、砂、鉄錆等の異物を取り除くプレフィルター４１を着脱可能に設けると、中空糸膜にかかる負担が少なくなり、中空糸膜の寿命を長くすることができるため好ましい。プレフィルター４１は、多孔質の粉末焼結体からなる焼結フィルターや、不織布、メッシュ等を好適に用いることができる。   
【００２７】
プレフィルターの材質としては、例えば、ポリエチレン、ポリプロピレン等のポリオレフィン樹脂、ポリスチレン樹脂、アクリル樹脂、フッ素樹脂等の樹脂材料、Ｃ、Ｓｉ、Ｍｎ、Ｐ、Ｓ、Ｃｒ、Ｍｏ、Ｎｂ、Ｔａ、Ｂ、Ｖ、Ｎｉ、Ｃｕ、Ａｌ、Ｔｉ、Ｆｅ、Ｃｏ、およびこれらの合金等の無機、金属材料などが挙げられる。中でも、焼結フィルタにした際の重量が軽く、リサイクルが可能で、焼却処分の際にも有害物質を発生せず、孔径のコントロールを行い易いポリオレフィン樹脂が好適に用いられる   
【００２８】
また、中空糸膜モジュールの上流に、吸着材層４２を着脱可能に設けると、より多様な水の浄化ができるため好ましい。吸着材としては、粉末状吸着材、この粉末吸着材を造粒した粒状吸着材、繊維状吸着材などが挙げられる。このような吸着材としては、例えば、天然物系吸着材（天然ゼオライト、銀ゼオライト、酸性白土等）、合成物系吸着材（合成ゼオライト、抗菌性ゼオライト、細菌吸着ポリマー、リン鉱石、モレキュラーシーブ、シリカゲル、シリカアルミナゲル系吸着材、多孔質ガラス等）などの無機質吸着材；粉末状活性炭、繊維状活性炭、ブロック状活性炭、押出成形活性炭、成形活性炭、分子吸着樹脂、合成物系粒状活性炭、合成物系繊維状活性炭、イオン交換樹脂、イオン交換繊維、キレート樹脂、キレート繊維、高吸水性樹脂、高吸水性繊維、吸油性樹脂、吸油剤などの有機系吸着材等、公知のものが挙げられる。   
【００２９】
中でも、被処理水中の残留塩素やカビ臭、トリハロメタンなどの有機化合物の吸着力に優れた活性炭が好適に用いられる。硬度（Ｃａ、Ｍｇ）調整、鉛除去、硝酸性・亜硝酸性窒素除去には、イオン交換樹脂が好適に用いられる。ヒ素の除去にはゼオライトが好適に用いられる。ホウ素、フッ素の除去にはキレート剤が好適に用いられる。また、吸着材としては、吸着材の粉体、粒状体等を結合剤で結合することによって形成された多孔質成形体を使用してもよい。また、２種類以上の吸着材を混合したり、積層させたりして使用してもよい。   
【００３０】
活性炭としては、植物質（木材、セルロース、のこくず、木炭、椰子殻炭、素灰等）、石炭質（泥炭、亜炭、褐炭、瀝青炭、無煙炭、タール等）、石油質（石油残渣、硫酸スラッジ、オイルカーボン等）、パルプ廃液、合成樹脂などを炭化し、必要に応じてガス賦活（水蒸気、二酸化炭素、空気など）、薬品賦活（塩化カルシウム、塩化マグネシウム、塩化亜鉛、リン酸、硫酸、カセイソーダ、ＫＯＨなど）したものなどが挙げられる。繊維状活性炭としては、ポリアクリロニトリル（ＰＡＮ）、セルロース、フェノール、石炭系ピッチを原料にしたプレカーサを炭化し、賦活したものなどが挙げられる。   
【００３１】
中空糸膜の洗浄は、原水以外に洗浄力の強い薬液を用いて行うことも可能である。薬液を使用する場合、中空糸膜を薬液に所定時間接触させることにより、効果的に洗浄を行うことができる。この場合、図１に示す中空糸膜モジュールを用いるとすると、洗浄液排出口３４の洗浄用開閉バルブ３８を閉じ、また原水開閉バルブ３６を閉じ、洗浄液供給開閉バルブ３９を開放して、原水供給口３５を兼ねた洗浄液供給口４０から薬液を供給する。そして、所定時間放置して中空糸膜１６に薬液を接触させた後、洗浄液排出口３４のバルブ３８を開放して薬液を排出することにより、中空糸膜の洗浄を行うことができる。
【００３２】
薬液の供給方法は特に限定はされず、例えばポンプを使用して送液したり、薬液タンクの液面を中空糸膜モジュールよりも高いところに配置して水頭差により送液したりすることができる。
薬液の必要量は、筒状ケースの内部が薬液に満たされる程度の量を送液すればよい。
【００３３】
また、薬液との接触時間は、使用する薬液の種類と濃度により適宜設定すればよいが、５〜６０分とすると、中空糸膜表面目詰まり物質除去のため好ましい。
薬液の種類は、塩酸、クエン酸、酢酸、家庭用洗剤、さらし粉のいずれかを含む水溶液であると、洗浄効果が高く、容易且つ安価に入手できるため好ましい。   
【００３４】
なお、薬液による洗浄は、薬液を必要量一度に供給してもよいし、洗浄を行う間、連続的に供給しても構わない。   
【００３５】
薬液を用いた洗浄を行った直後に濾過を行うと、薬液が濾液中に混入する懸念があるため、中空糸膜モジュールを適宜洗浄することが好ましい。その場合、中空糸膜モジュールに設けた洗浄液供給口より原水を供給し、洗浄液排出口から洗浄液を排出してやると、薬液の洗浄を行いつつ、中空糸膜面の洗浄も行うことができ、洗浄効果がより高くなるためより好ましい。原水による洗浄は、前述した条件にて行えばよい。   
【００３６】
中空糸膜が汚れて来た時の適切な洗浄する時の判断は、積算濾過時間、積算濾過流量、濾過流速、濾加圧力の少なくとも一つを計測し、そのいずれかが予め設定した値に到達した際に自動的に洗浄を行うようにすると、使用者がその都度洗浄作業を行う必要が無く、好適である。
自動的に洗浄を行うにあたっては、電子式の圧力計、流量計を用いると、自動的な制御システムを組み立てることができる。   
【図面の簡単な説明】
【００３７】
【図１】本発明の浄水器に使用する中空糸膜モジュールの一例を示す断面図である。
【図２】本発明の浄水器に使用する中空糸膜モジュールを複数設けた一例を示す断面図である。
【図３】浄水器の一例を示す斜視図である。
【図４】従来のカートリッジの一例を示す断面図である。
【符号の説明】
【００３８】
１ 浄水器   
２ 蛇口   
３ アダプター   
４ 固定リング   
５ 切換レバー   
６ 浄水カートリッジ   
７ カートリッジカバー   
９ 浄水出口   
１０ 中空糸膜モジュール   
１１ 焼結フィルター   
１２ 浄水出口   
１３ ケース   
１４ 仕切板   
１５ 吸着材   
１６ 中空糸膜   
１７ ポッティング材   
１８ 保護ネット   
１９ 弾性体   
２０ 弾性体   
２１ 嵌合溝   
２２ 中空糸膜用ケース   
２３ モジュールキャップ   
２４ 嵌合突起   
３１ 筒状ケース   
３２ 筒状キャップ   
３３ 固定バンド   
３４ 洗浄液排出口   
３５ 原水供給口   
３６ 原水開閉バルブ   
３７ 浄水開閉バルブ   
３８ 洗浄用開閉バルブ   
３９ 洗浄液供給開閉バルブ   
４０ 洗浄液供給口   
４１ プレフィルター   
４２ 吸着材層   
【図１】
0005660473.tif 000002
【図２】
0005660473.tif 000003
【図３】
0005660473.tif 000004
【図４】
0005660473.tif 000005